(57)【要約】【課題】  十分な防水性および強度を得ることができ，かつ施工性を大幅に改善する。【解決手段】  屋根下地５上に敷設した前順位の屋根板材１の一側長辺縁部１’と次順位の屋根板材１の他側長辺縁部１”とを両面粘着テープ２を介して重合するとともに，その重合部分をビス７，８により上記屋根下地５に固定し，または該重合部分を互いに縫合し，さらに，上記重合部分に片面粘着テープ４を，上記次順位の屋根板材１の他側長辺縁部１”と上記前順位の屋根板材１とに跨架する状態にして重合し，上記ビス７，８の頭端および上記他側長辺縁部１”の端面ならびに上記両面粘着テープ２の端面を被覆する状態において粘着してなることを特徴とする防水屋根構造。  【選択図】  図３
0003127982.tif 000002
【実用新案登録請求の範囲】
【請求項１】
屋根下地（５）上に敷設した前順位の屋根板材（１）の一側長辺縁部（１’）と次順位の屋根板材（１）の他側長辺縁部（１”）とを両面粘着テープ（２）を介して重合するとともに，その重合部分をビス（７，８）により上記屋根下地（５）に固定し，または該重合部分を互いに縫合し，さらに，上記重合部分に片面粘着テープ（４）を，上記次順位の屋根板材（１）の他側長辺縁部（１”）と上記前順位の屋根板材（１）とに跨架する状態にして重合し，上記ビス（７，８）の頭端および上記他側長辺縁部（１”）の端面ならびに上記両面粘着テープ（２）の端面を被覆する状態において粘着してなることを特徴とする防水屋根構造。
【請求項２】
前順位および次順位の屋根板材（１，１）を，屋根下地（５）上のアスファルトルーフィング（６）に敷設し，前順位の屋根板材（１）の一側長辺縁部（１’）と次順位の屋根板材（１）の他側長辺縁部（１”）とを両面粘着テープ（２）を介して重合するとともにその重合部分をローラーで添圧粘着し，また，上記重合部分に片面粘着テープ（４）をローラーで添圧粘着してなることを特徴とする請求項１記載の防水屋根構造。
【考案の詳細な説明】
【技術分野】
【０００１】
本考案は防水屋根構造に関する。
【背景技術】
【０００２】
従来，複数枚の鋼板製屋根板材を，互いに隣接するものどうしの対向縁部を重合させた状態で敷設して構成する防水屋根構造として，その対向縁部の重合部を熱可塑性ポリオレフィン（ＴＰＯ）帯テープで被覆し，かつそれを熱風溶着装置で融着し，鋼板製屋根板材と一体化させることにより，所定の防水性を確保できるようにしたものが知られている（非特許文献１，２）。
【０００３】
【非特許文献１】北長金日米建材株式会社，”防水工事  プルーフ防水システム”，[online]，[平成１８年７月3日検索]，インターネット＜ＵＲＬ：http://www.jfe-hnk.co.jp/waterproof/index.html＞
【非特許文献２】ＪＦＥ鋼板株式会社，”新商品発売のお知らせ”，[online]，平成1６年１２月２１ 日，[平成１８年7月3日検索]，インターネット＜ＵＲＬ：http://www.jfe-kouhan.co.jp/shincyaku/news/20050104.pdf＞
【考案の開示】
【考案が解決しようとする課題】
【０００４】
しかし，上記防水屋根構造では，鋼板製屋根板材どうしの重合部を被覆する上記熱可塑性ポリオレフィン（ＴＰＯ）帯テープが高価であるため，コストが上がり，かつまた，該帯テープを熱風溶着装置を使用して融着する面倒な作業を必要とするといっ欠点があった。
【０００５】
本出願人は，かかる欠点を改良するために，先に，各鋼板製屋根板材の重合部に，防水弾性挟入板を挟入するとともに，その重合部を防水弾性被覆板と被覆用屋根板材で被覆してなる防水屋根構造を提供し（実願２００６−００５７７１，実用新案登録第３１２５７１０号），これによってコストを低くするとともに，防水性および強度の向上を可能にした。
本考案は，十分な水性および強度を確保しながら施工性を大幅に改善することを目的に提案されたものである。
【課題を解決するための手段】
【０００６】
請求項１記載の本考案防水屋根構造は，屋根下地５上に敷設した前順位の屋根板材１の一側長辺縁部１’と次順位の屋根板材１の他側長辺縁部１”とを両面粘着テープ２を介して重合するとともに，その重合部分をビス７，８により上記屋根下地５に固定し，または該重合部分を互いに縫合し，さらに，上記重合部分に片面粘着テープ４を，上記次順位の屋根板材１の他側長辺縁部１”と上記前順位の屋根板材１とに跨架する状態にして重合し，上記ビス７，８の頭端および上記他側長辺縁部１”の端面ならびに上記両面粘着テープ２の端面を被覆する状態において粘着してなる。
【０００７】
請求項２記載の本考案は，前順位および次順位の屋根板材１，１を，屋根下地５上のアスファルトルーフィング６に敷設し，前順位の屋根板材１の一側長辺縁部１’と次順位の屋根板材１の他側長辺縁部１”とを両面粘着テープ２を介して重合するとともにその重合部分をローラーで添圧粘着し，また，上記重合部分に片面粘着テープ４をローラーで添圧粘着してなる請求項１記載の防水屋根構ある。
【考案の効果】
【０００８】
本考案防水屋根構造は，十分な防水効果と強度を具備し，従来に比べて施工性を著しく高めることができる。
【考案を実施するための最良の形態】
【０００９】
以下図示の実施例について詳述する。
【実施例】
【００１０】
１は本考案の実施例に係るカラー鋼板製または素地鋼板製の屋根板材で，それは，例えば，幅９１４ｍｍ，長さ２０ｍ，厚さ０．５ｍｍの縦長方形をなしている。２は，この縦長方形の屋根板材１の一側長辺縁部１’上に，その全長にわたり貼着した幅約１００ｍｍの細幅なスーパーブチル両面粘着テープで，その表面には剥離紙３を貼着している。
【００１１】
４は，例えば，幅１２０ｍｍ，長さ２０ｍで所要の厚さの細長帯状をなす片面粘着テープである。
【００１２】
これらの屋根板材１および片面粘着テープ４による本考案防水屋根構造の施工は次のように行われる。
【００１３】
屋根下地５上のアスファルトルーフィング６に，先ず前順位の屋根板材１を敷設する（図３（ａ））。
次に，その屋根板材１のスーパーブチル両面粘着テープ２の剥離紙３を剥離除去し，次順位の屋根板材１のスーパーブチル両面粘着テープ２を貼着していない他側長辺縁部１”を，両面粘着テープ２を剥離除去した上記両面粘着テープ２に重ね合わせ，その重ね合わせ部分を所要のローラーで添圧し粘着する。  これにより，次順位の屋根板材１の他側長辺縁部１”が前順位の屋根板材１の一側長辺縁部１’に上記両面粘着テープ２を介して重合粘着する。
また同時に，次順位の屋根板材１の上記他側長辺縁部１”以外の部分を上記アスファルトルーフィング６に馴染ませ，かつ，上記重合部分の中心線に沿って例えば６００ｍｍピッチでモドトラスビス７を，また，その各ビス７の間に例えば１００ｍｍピッチでトルネードビス８を打設して，該重合部分を屋根下地５にしっかりと固定する（図３（ｂ）〜（ｄ））。または，該重合部分を互いに縫合する。
【００１４】
その後，上記片面粘着テープ４を，粘着面を下にし，上記次順位の屋根板材１の重合状態の上記他側長辺縁部１”と上記前順位の屋根板材１とに跨架するようにして貼着し，打設した上記ビス７，８の頭端および上記他側長辺縁部１”の端面ならびに上記両面粘着テープ２の端面を被覆する状態において，所要のローラーで添圧粘着し，当該屋根板材１に馴染ませる（図３（ｅ）〜（ｆ））。
【００１５】
これによって，所期の防水屋根構造の施工が完了するもので，この防水屋根構造によれば，前順位の屋根板材１の一側長辺縁部１’と次順位の屋根板材１の他側長辺縁部１”との重合部が，スーパーブチル両面粘着テープ２を介して粘着し，しかも，モドトラスビス７とトルネードビス８とで屋根下地５に固定され，または該重合部分が互いに縫合され，その上にさらに，片面粘着テープ４が被覆重合しているので，十分な防水効果と強度を具備する。
【００１６】
特に上記のように，スーパーブチル両面粘着テープ２を介し粘着する前順位の屋根板材１の一側長辺縁部１’と次順位の屋根板材１の他側長辺縁部１”との重合部は，これに片面粘着テープ４を被覆し，所要のローラーで添圧粘着するだけで所定の防水屋根構造を得ることができるから，従来の熱可塑性ポリオレフィン（ＴＰＯ）帯テープを使用する場合のように，コストが高くなるとか，熱風溶着装置を使用して融着する面倒な作業を必要とするがいっ欠点を解消できるものである。
【００１７】
なお，上記においては，屋根板材１の一側長辺縁部１’上にスーパーブチル両面粘着テープ２を貼着した場合について説明したが，このテープ２は，両面に粘着層を有するテープで所要の粘着力を有するいわゆる両面粘着テープであれば，スーパーブチル両面粘着テープ以外のものであってもよい。
また，上記においては，重合部分にモドトラスビス７とトルネードビス８を打設した場合について説明したが，これらも，該重合部分を屋根下地５にしっかりと固定でき，あるいは該重合部分を互いに縫合できるものであれば，モドトラスビスまたはトルネードビス以外のものであってもよい。
【図面の簡単な説明】
【００１８】
【図１】本考案屋根板材の実施例の端部を示すもので，（ａ）は斜視図，（ｂ）は横断面図である。
【図２】本考案重合部被覆材の実施例の端部を示すもので，（ａ）は斜視図，（ｂ）は横断面図である。
【図３】本考案の防水屋根構造の施工状況をその順序にしたがい示すもので，（ａ）は屋根下地上のアスファルトルーフィングに屋根板材を敷設した状態の断面図，（ｂ）は前順位の屋根板材の端部に次順位の屋根板材の端部を重合しようとしている状態の断面図，（ｃ）はその重合部にモドトラスビスを打設した状態の断面図，（ｄ）は同重合部に上記モドトラスビスと交互にしてトルネードビスを打設した状態の断面図，（ｅ）は上記重合部に片面粘着テープを重合しようとしている状態の断面図，（ｆ）は該片面粘着テープを重合部に重合圧着し，本考案の防水屋根構造を完工した状態の断面図である。
【符号の説明】
【００１９】
１      屋根板材
１’    一側長辺縁部
１”    他側長辺縁部
２      両面粘着テープ
３      剥離紙
４      片面粘着テープ
５      屋根下地
６      アスファルトルーフィング
７      モドトラスビス
８      トルネードビス
【図１】
0003127982.tif 000003
【図２】
0003127982.tif 000004
【図３】
0003127982.tif 000005